(57)【特許請求の範囲】
【請求項１】
液体材料または粉体材料の輸送を意図する可撓性容器の排出用及び／又は供給用の弁の安定化装置であって、二方弁キーを下向きに延ばして形成された低位置にある突起部と、多角形のフランジと、多角形の凸部との３つの部材から選択された少なくとも一つの部材を備える、外形が厳密な円筒形ではない筒状の弁を使用し、安定化プレートが、上記で選択された部材の輪郭に適合且つ係合する凹部と、可撓性容器に近い面に接着された２枚の第一の面ファスナであって、前記第一の面ファスナに対向するよう可撓性容器の外面に縫付および／または接着された複数枚の面ファスナと係合することを意図された面ファスナの双方を備え、前記部材と前記凹部を係合し、前記面ファスナの対を系合して組み立てられた装置は、外部管路が、弁にねじ込まれる際、また弁からねじって外される際に、弁自体の回転を防止することを特徴とする安定化装置。
【請求項２】
前記多角形のフランジの形状が正方形である、請求項１に記載の装置。
【請求項３】
前記多角形の凸部の形状が台形である、請求項１に記載の装置。
【請求項４】
前記安定化プレートは、ポリプロピレン製のセル構造体である、請求項１〜３のいずれか一項に記載の装置。
【発明の詳細な説明】
【技術分野】
【０００１】
本発明は、液体材料または粉体材料の輸送のための可撓性容器用の排出弁及び／又は投入弁（排出用及び／又は供給用の弁）の安定化装置に関する。
【背景技術】
【０００２】
従来、液体材料、例えば果汁、または粉体材料の輸送には、金属またはプラスチック製のタンク等の硬質容器を用いる。
【０００３】
かかる輸送には２つの主たる問題点がある。第一には、液体を入れた状態での搬送の前後に発生する、かさ張る空容器の搬送を行う必要があるということであり、第二には、特に金属製タンクの場合の重量である。
【０００４】
したがって、これらの問題点を解決するために、液体の輸送に適した可撓性の袋と、可撤性硬質容器又はそれ自体が可撓性の容器のいずれかの内側に収容することのできる、本質的に筒状の織物とすることのできるライナーとが提案されている。
【０００５】
重量と体積を低減する観点からは、可撓性の袋と可撓性容器の組み合わせが、無論最も抜本的かつ最も効果的な解決策である。また、最も経済的に有利でもある。
【発明の開示】
【発明が解決しようとする課題】
【０００６】
しかし、可撓性の袋と可撓性容器との組み合わせは、タンクによる解決策や硬質容器による解決策に比べて欠点がある。実際、投入又は排出の際には、投入路又は排出路に弁を取り付ける必要があるが、これは、弁本体における据え付け管のねじ部の動きを生じさせるおそれがある。硬質容器を用いると、弁を容器に強固に締結することが可能となり、ねじを回すことで力が加わった際にも、弁を固定された不変の位置とすることができる。差し込み式の連結でも全く同じ問題が生じる。
【０００７】
しかし、可撓性の容器では、弁を固定された不変の位置とすることはできない。投入路及び／又は排出路に弁を連結又は分離するのに必須の作業は、しっかりと支持されていない中袋のねじれや曲がりを生じさせ、裂けて破壊を生じ得るという点で危険である。
【０００８】
本発明は、上記の問題点に鑑み、信頼性があり、かつ、工業的に安全な解決策を提供することを目的とする。
【課題を解決するための手段】
【０００９】
この目的のため、本発明は、液体材料または粉体材料の輸送を意図する可撓性容器用の排出および／または投入弁の安定化装置は、二方弁キーを下向きに延ばして形成された下部にある突起部と、近位側が多角形のフランジと、部分的に多角形な凸部との３つの部材のうち少なくとも一つを備える、厳密な円筒型ではない弁の使用を含むことを特徴とする。この装置はまた、安定化プレートが、上記で選択された部材の輪郭に適合且つ係合する凹部と、近位面に接着された２枚の面ファスナであって、前記第一の面ファスナに対向するよう可撓性容器の外面に縫付および／または接着された複数枚の面ファスナと係合することを意図された面ファスナの双方を備えることを特徴とする。このようにして形成され且つ組み立てられた装置は、排出路および／または投入路が、弁にねじ込まれる際、また弁からねじって外される際に、弁自体の回転を予防する。
【００１０】
本発明の原理の概略を説明すると、客観的に区別可能な２つの要素の組み合わせであり、いずれも所望の効果を奏することなく他方に係合することがない。
【００１１】
好ましくは、第１の要素を、弁又は弁の類から選択する。第１の要素に依存し、かつ、これから想起される第２の要素は、選択した第１の要素の特徴を利用して新たな構造の発展をもたらす。
【００１２】
本明細書で用いる弁は全て、ねじ部を、一般には外側に備える、筒状の本体を有する。この特徴は、排出路又は導入路を連結することができるようにする必要性により決まるものである。これらの弁は、弁と、液体を収容した内袋とを固定するためのフランジを有する。
【００１３】
第１に、これらの弁は、二方弁キーが円筒状の弁本体を端から端まで横断しており、自由端、又は閉止板で隠した端を有することができる点に留意されたい。かかる弁の特徴は、下部が突起部からなることであり、本体部を回転可能に固定すると完璧である。
【００１４】
第２に、これらの弁は、フランジの中央部が硬質であり、多角形、例えば正方形の首部を有することができることに留意されたい
【００１５】
最後に、これらの弁は、本体部の、フランジに近い領域に、好ましくは下部に、凸部を有する構造とすることができる。この凸部は、弁本体から離れた側が長辺である台形であることが理想的である。
【００１６】
上述の構造の改良に関し、弁の本体部、より詳細には、キーにより形成される突起部、台形の凸部、又は中間フランジの多角形の輪郭のそれぞれに一部が適合する凹部を有する安定化プレートが改良点である。
【００１７】
また、これらの改良は、可撓性容器の外面とプレートの近位面とに、フック部とループ部とを対にして係合させる面ファスナからなる複数対の取付部材を配置する点にもある。可撓性容器に縫付又は接着された面ファスナは、プレートの近位面に接着された面ファスナに対向するように配置される。
【００１８】
上記の概略に続き、本発明に従う装置の特徴を、幾つかの変形例を示す図面を参照しつつ以下に説明する。
【図面の簡単な説明】
【００１９】
【図１】図１は、本発明に係る装置の第一態様の弁の斜視図である。
【図２】図２は、本発明に係る装置の第二態様の弁の斜視図である。
【図３】図３は、本発明に係る装置の第三態様の弁の斜視図である。
【図４】図１に示す弁と係合するよう位置された、本発明に係る安定化プレートの斜視図である。
【図５】図２に示す弁と係合するよう位置された、本発明に係る安定化プレートの斜視図である。
【図６】図３に示す弁と係合するよう位置された、本発明に係る安定化プレートの斜視図である。
【図７】本発明に係る装置の種々の構成部材の斜視図である。
【発明を実施するための形態】
【００２０】
図１において、弁の本体部１をキー２が端から端まで横断していることが分かる。本体部には、容器に投入し、又は容器から排出するための外部管路をねじ込むことを可能とするねじ部３が設けられている。種々のフランジ４、５、６が図示されており、このうち、フランジ５、６は、液体を収容するための袋に弁を固定するためのものである。
【００２１】
弁のキーの制御レバー７とは異なり、キーの下部２´は突起部であり、弁本体部と完全に一体に回転する。
【００２２】
図２において、図１と同一の要素は説明を省略する。しかし、第１フランジ４の厚みが前のものよりも大きく、特に正方形であるという事実に留意されたい。
【００２３】
図３において、図１と同一の要素は説明を省略するが、弁本体１の下部にある付加的な凸部８があり、これは、側面視において、実質的に台形状である。
【００２４】
図４において、円筒状の弁本体に適合するような形状とされた凹部１０を有する安定化プレート９が示されており、付加的な凹部１１は、図１に示すような、弁のキーを下向きに伸ばして形成された突起部２´と形状的に適合しており、これを収容する。安定化プレートは、材料の剛性、強度及び軽量性の点から、ポリプロピレン製のセル（ハニカム）構造とすることが好ましい。
【００２５】
図５において、安定化プレート９の凹部は略正方形であり、図２に示す第１フランジ４´の正方形と適合することが分かる。
【００２６】
図６において、安定化プレート９ａは、図４と同様に、２つの凹部を有しており、第１の凹部１３は略円形であり、円筒形の弁本体と適合し、第２の凹部１４は台形であり、図３に輪郭を示すような台形の凸部８と係合する。
【００２７】
用語に関して、取付プレートよりも安定化プレートと呼ぶ方が好ましく、これは、投入路又は排出路のねじ込み又はねじ外しの際に、軸線を中心とした弁の回転に抗するという事実を反映するものである。しかし、装置が耐容し許容しなければならない若干の動きに対しての弁の自由度を損なうものではない。一方、可撓性容器を構成する外包装は、織物（例えばポリプロピレン）であり、このようにして組み立てたものに剛性を付与するが、かかる外包装の可視性を損なうべきではない。
【００２８】
図７において、液体を収容するよう意図された内袋又は内側ライナー２０が部分的に示されている。
【００２９】
垂直壁と、可撓性容器を形成する袋の底とを結合した継ぎ目２１の下端とともに、可撓性容器１９も、一部のみが示されている。可撓性容器の前方垂直面は、弁取り付けのための切り欠きを有する。
【００３０】
この図においては、図２に示す弁が選択されており、これは、円筒形の本体部１、ねじ部３、弁キー２、輪郭が正方形のフランジ４を備える。
【００３１】
可撓性容器の垂直面は、２枚の面ファスナ１５、１６を備え、これら面ファスナは、可撓性容器の織物の外面に縫付及び／又は接着されていることに留意されたい。
【００３２】
これら２枚の面ファスナ１５、１６は、図において破線で示される２つの面ファスナ１８、１９に対向して配置されており、これら面ファスナ１８、１９は、安定化プレート９の（弁に対して）近位の面に接着されている。
【００３３】
最後に、安定化プレート９は、図５に示すものに相当するものであり、正方形の凹部１２を有する。
【００３４】
ここでの説明において、プレートの凹部１２は、正方形のフランジ４を保持するものであり、面ファスナの対が互いに係合すると、管を弁にねじ込んだり、ねじって外したりしても、弁が軸線の周りを回転することがない。これが正に本発明の目的である。
【図１】
0005916874.tif 000002
【図２】
0005916874.tif 000003
【図３】
0005916874.tif 000004
【図４】
0005916874.tif 000005
【図５】
0005916874.tif 000006
【図６】
0005916874.tif 000007
【図７】
0005916874.tif 000008